(57)【要約】  水道管、特に冷水家屋配管および／または温水家屋配管のための少なくとも１つの接続端（４）と接続体（１）を組込み開口部内へ固定するための少なくとも１つの固定部材（９）を有する接続体（１）；接続体（１）の相補的な接続手段と水に関して接続するための接続手段を有する、特にサニタリー弁を備えた、機能ユニットおよび接続装置を有し、その接続装置によって機能ユニットが接続体（１）に取り外し可能に固定できる、埋め込み型配管固定具が記述される。接続体（１）は、好ましくは、変位可能な固定装置（１０、１６、１７）を有しており、その固定装置によって組込み開口部内に様々な組込み深さで固定可能である。固定装置は、接続体（１）に沿って軸方向に摺動可能な少なくとも１つの固定リング（１０）と、固定リング（１０）を接続体（１）にロックするための少なくとも１つのロック手段（１７）を有している。
2008510088.tif 000002
【特許請求の範囲】
【請求項１】
ａ）水道管、特に冷水家屋配管および／または温水家屋配管のための少なくとも１つの接続端と、接続体を組込み開口部内へ固定するための少なくとも１つの固定部材とを有する、接続体と、
ｂ）接続体の相補的な接続手段と水に関して接続するための接続手段を有する、特にサニタリー弁を備えた、機能ユニットと、
ｃ）機能ユニットを接続体に取り外し可能に固定することができる、結合装置と、
を有する埋め込み型配管固定具において、
接続体（１；１０１）が、変位可能な固定装置（１０、１６、１７；１１０）を有しており、前記固定装置によって接続体（１；１０１）が組込み開口部内に様々な組込み深さで固定可能であって、かつ
ｄ）接続体（１；１０１）に沿って軸方向に摺動可能な少なくとも１つの固定リング（１０；１１０）、と、
ｅ）接続体（１；１０１）に固定リング（１０；１１０）を固定するための少なくとも１つのロック手段（１７）、と、
を有していることを特徴とする埋め込み型配管固定具。
【請求項２】
固定リング（１０；１１０）が、
少なくとも１つの半径方向内側へ突出するバヨネット爪（１５）を有しており、かつ、接続体（１；１０１）に沿って軸方向に摺動可能であり、かつ、少なくとも接続体（１；１０１）の部分領域内で回転可能に配置されており、
かつ、
接続体（１；１０１）が、バヨネット爪（１５）を収容するための少なくとも１つの円弧状のロック溝（１７）を有している、
ことを特徴とする請求項１に記載の埋め込み型配管固定具。
【請求項３】
接続体（１；１０１）が、固定リング（１０；１１０）のための少なくとも１つのガイド部材、特にガイド溝（１６）を有している、ことを特徴とする請求項１と２のいずれか１項に記載の埋め込み型配管固定具。
【請求項４】
多数のロック溝（１７）が、相前後して配置されている、ことを特徴とする請求項１から３のいずれか１項に記載の埋め込み型配管固定具。
【請求項５】
固定リング（１０；１１０）が、接続体（１；１０１）と同じ固定部材（９、１１；１１１）を有している、ことを特徴とする請求項１から４のいずれか１項に記載の埋め込み型配管固定具。
【請求項６】
固定リング（１１０）が、少なくとも２つの互いに相補的な結合手段（１２７、１２８）を有しており、該結合手段によって前記固定リングが第２の同一の固定リング（１１０）と結合可能である、ことを特徴とする請求項１から５のいずれか１項に記載の埋め込み型配管固定具。
【請求項７】
第１の結合手段が、固定リング（１１０）の２つの端面の一方（１１３）に設けられた一周するリングカラー（１２７）であって、
第２の結合手段が、他方の端面（１１４）に一周して設けられた、前記リングカラー（１２７）に対して相補的なリング溝（１２８）である、
ことを特徴とする請求項６に記載の埋め込み型配管固定具。
【請求項８】
接続体（１０１）の後ろ側（１０２）が、結合手段（１２７、１２８）の１つに対して相補的な他の結合手段（１２９）を有しており、該結合手段によって固定リング（１１０）の少なくとも１つが前記後ろ側（１０２）と結合可能である、
ことを特徴とする請求項６または７に記載の埋め込み型配管固定具。
【発明の詳細な説明】
【技術分野】
【０００１】
本発明は、
ａ）水道管、特に冷水家屋配管および／または温水家屋配管のための少なくとも１つの接続端と、組込み開口部内に接続体を固定するための少なくとも１つの固定部材とを備えた、接続体と；
ｂ）特に、接続体の相補的な接続手段と水に関して接続するための接続手段を有する、特にサニタリー弁を備えた機能ユニットと；
ｃ）機能ユニットを接続体に取り外し可能に固定することができる、結合装置と；
を有する、埋め込み型配管固定具に関する。
【背景技術】
【０００２】
近年になって、埋め込み型配管固定具がますます多く使用されるようになっており、それにおいて建築主は自分が正確にどのような種類の埋め込み型配管固定具を望むかの決定を、その建物の内装の最後の段階にいたるまで引き延ばすことができる。まず、建物壁の組込み開口部、たとえば壁の窪みに普遍的に使用できる接続体のみが埋め込まれ、その接続体が建物壁内に敷設されている水道管、従って特に冷水家屋配管、温水家屋配管および場合によっては混合水を導く導管と接続される。このように装備された壁の窪みが、その後、建物の内装がほぼ終了するまで、覆われる。その後初めて、壁の窪みの覆いが再び除去される。その時に建築主は、どのような特殊な種類の埋込みアーマチュア、たとえばシングルレバー混合栓、サーモスタット弁などを望むか、を決定する。埋込みアーマチュアのメーカーから、あらゆるセットの機能ユニットが用意されており、それらはすべて同一の接続体と接続することができるように標準化されているが、様々な弁を有している。その場合に、建築主が望む特殊な機能ユニットが、接続体と接続される；最後に、さらに、壁の窪みを覆うロゼットおよび操作部材が取り付けられれば済む。
【０００３】
壁の窪みの深さと、壁内に家屋配管が敷設されている深さは様々であるので、壁の窪み内に接続体を固定するやり方も同様に可変でなければならない。冒頭で挙げた種類の既知の埋め込み型配管固定具においては、接続体が木の土台または同様のホルダを埋め込むことにより、壁の窪みへ適合され、特にそのようにして壁の窪み内の接続体の組込み深さが変化される。しかし、現場で初めて準備すべきこの種の木の土台による適合は、比較的多くの時間を必要とする。このようにして、最適な組込み深さを達成するために、壁上部構造、前壁システムなどへの接続体の固定を適合させることは、そもそも不可能である。
【発明の開示】
【発明が解決しようとする課題】
【０００４】
本発明の課題は、冒頭で挙げた種類の埋め込み型配管固定具を、接続体が様々な取付け状況に適合可能であり、迅速かつ技術的に簡単に組込み可能であるように形成することである。
【課題を解決するための手段】
【０００５】
この課題は、本発明によれば、接続体が、変位可能な固定装置を有しており、その固定装置によって接続体が様々な組込み深さで組込み開口部内へ固定可能であって、かつ：
ｄ）接続体の軸線に沿って軸方向に摺動可能な少なくとも１つの固定リング、
ｅ）固定リングを接続体にロックするための少なくとも１つのロック手段、
を有していることによって、解決される。
【発明の効果】
【０００６】
従って本発明によれば、固定装置が設けられており、その固定装置によって接続体を現場で様々な組込み開口部内へ簡単かつ正確に組み込むことができる。この固定装置によって、接続体を様々な構造に、たとえば従来の前塀、前壁システムまたはウッドラック壁に適合させて取り付けることができる。従ってたとえば木の土台および同様なホルダのような、しばしば一時しのぎの手段による、複雑で時間のかかる適合は、必要とされない。固定装置によって、付加的な補助手段なしで、組込み開口部内の接続体の組込み深さを常に正確に調節することができる。前もって出来上っている壁取付け部へ組み込む場合の誤り、たとえば誤った組込み深さおよび／または接続体の斜めの組込みも、固定装置によって補正することができる。
【０００７】
好ましい実施形態において、固定リングは、半径方向内側へ突出する少なくとも１つのバヨネット爪を有しており、かつ固定リングは接続体に沿って軸方向に摺動可能であり、かつ少なくとも接続体の部分領域内で回転可能に配置されており、かつ接続体は、バヨネット爪を収容するための少なくとも１つの円弧状のロック溝を有している。バヨネット爪を有する固定リングは、技術的に簡単に形成することができ、かつ接続体への信頼できる安定した結合を可能にする。固定リングを回転させることによって（その場合にバヨネット爪がそれぞれのロック溝内へ移動される）、固定リングが安定的にロック可能である。
【０００８】
接続体に沿って摺動する際に固定リングが捻れないようにするために、他の好ましい実施形態において、接続体は固定リングのための少なくとも１つのガイド部材、特にガイド溝を有している。
【０００９】
様々な組込み深さは、他の好ましい実施形態においては、多数のロック溝が相前後して配置されていることによって、実現可能である。
【００１０】
付加的な固定手段、たとえば特殊なボルトを省くことができるようにするために、他の好ましい実施形態において、固定リングは接続体と同一の固定部材を有している。
【００１１】
特に好ましい実施形態においては、固定リングが少なくとも２つの互いに相補的な結合手段を有しており、その結合手段によって固定リングが第２の同一の固定リングと結合可能であるので、標準化された多数の固定リングを相前後してセットすることによって、特に大きい組込み深さを実現することができる。
【００１２】
好ましくは、好ましい実施形態において、第１の結合手段は、固定リングの２つの端面の一方に一周して設けられたリングカラーであり、第２の結合手段は、他方の端面に一周して設けられた、リングカラーに対して相補的なリング溝であるので、２つの固定リングを技術的に簡単に嵌め合わせることができる。
【００１３】
組込み深さの大きいバリエーションを可能にするために、他の好ましい実施形態において、接続体の後ろ側が、結合手段の１つに対して相補的な他の結合手段を有しており、その結合手段によって固定リングの少なくとも１つが後ろ側と結合可能である。このようにして、固定リングを後ろ側からも接続体へ取り付けることができる。
【発明を実施するための最良の形態】
【００１４】
以下、図面を用いて本発明の実施例を詳細に説明する。
図１には、壁開口部内に取り付けるための埋め込み型配管固定具用の、全体を参照符号１で示す接続体の第１の実施例が示されている。接続体１に、それ自体知られているように、図示されていない機能ユニット、たとえばシングルレバー混合栓、サーモスタットバッテリあるいは２グリップアーマチュアを接続して、図示されていない通常の接続装置によって固定することができる。
【００１５】
接続体１は、大体において中空円筒の形状を有しており、その中空円筒は図１下のその後ろ側２において閉鎖されており、上の前領域３が開放されている。
後ろ側２の領域内において、接続体１に４つの接続短管４が半径方向に導入されている。接続短管４は、接続体１の一体的な構成部分であることができるが、別々にこの接続体と結合すべき部分とすることもできる。接続短管４は、それ自体知られているように、壁内に敷設された、図示されていない水パイプと接続可能である。
【００１６】
接続体１の内部に、図３の正面図に示されるように、それぞれ接続短管４に対応づけられた４つの接続開口部５が設けられている。これらの接続開口部５において、それぞれの機能ユニットがそれ自体知られているように接続体１と水に関して接続可能である。
【００１７】
接続体１を壁内に通常の標準に応じた組込み深さで固定することができるようにするために、接続体１は、図１において接続短管４の下方に後方の固定カラー７を有しており、それらの固定カラーはそれぞれ接続短管４の領域で中断されている。
【００１８】
固定カラー７は、接続体１の外側側面８よりも半径方向に突出している。固定カラー７には、図４の仮想の方形のそれぞれの角部に、固定部材として４つの貫通したカラー固定孔９が配置されている。カラー固定孔９の軸線は、接続体１の仮想の軸線に対して平行に延びている。
【００１９】
カラー固定孔９内へ図示されていないボルトを挿入することができ、そのボルトによって接続体１をそれ自体知られているように壁内に螺合することができる。
【００２０】
接続体１の前方の領域３内に、前方の固定リング１０が図１の接続体１の軸線の方向に上方および下方へ移動可能に配置されており、その固定リングによって壁内の接続体１の組込み深さが変化することができる。
【００２１】
前方の固定リング１０は、その形状と配置がカラー固定孔９と等しい、図２に示されているリング固定孔１１を有している。すなわち、様々な組込み深さを達成するために、接続体１は選択的に後方の固定カラー７または前方の固定リング１０によって壁組込み開口部内に固定することができる。
【００２２】
前方の固定リング１０の内側ジャケット面１２に、その２つの端面１３、１４の間の中央に半径方向内側へ突出する３つのバヨネット爪１５がロック手段として形成されている（図２を参照）。
【００２３】
バヨネット爪１５は、仮想の中空円筒の一部を形成し、その中空円筒の外側側面が前方の固定リング１０の内側側面１２に隣接して、この内側側面と堅固に結合され、あるいはそれから一体的に突出する。バヨネット爪１５によって形成されるアーチの中心点が、固定リング１０の端面１３、１４に対して平行な平面内に配置された、正三角形の角部を形成する。バヨネット爪１５のアーチ長さは、それぞれ３０°の中心角に相当する。バヨネット爪１５は、軸方向において前方の固定リング１０の半分の高さである。それは半径方向においては、固定リング１０の約半分の幅である。
【００２４】
接続体１の前方の領域３の外側側面８内に、前方の固定リング１０のためのガイド手段として、バヨネット爪１５に対して相補的な３つのガイド溝１６が設けられており、それが接続体１の前方の領域３の外側の端部から軸方向に接続短管４の上方の領域まで延びている。ガイド溝１６は、バヨネット爪１５よりも幾分大きいアーチ長さにわたって延びている。ガイド溝１６の深さは、バヨネット爪１５の幅よりも幾分大きい。前方の固定リング１０が前方の領域３に沿って接続体１に対して軸方向に摺動する場合に、バヨネット爪１５がガイド溝１６内で案内される。
【００２５】
図１において接続短管４のすぐ上の領域内で、接続体１の外側側面８内に等しい寸法を有する３つの相補的なロック溝１７が円形に形成されている（前方のロック溝１７は図１においては前方の固定リング１０によって覆われている）。ロック溝１７の半径方向における深さは、バヨネット爪１５の幅よりも少し大きく、軸方向におけるその幅はバヨネット爪１５の高さよりも少し大きいので、バヨネット爪１５はロック溝１７内へ相補形状で嵌り込む。
【００２６】
前方の固定リング１０が接続体１の軸線の方向へ移動することを阻止し、かつ前方の固定リング１０をロックするために、バヨネット爪１５は、前方の固定リング１０が接続体１０に対して回転することによってロック溝１７内へ移動することができる。
【００２７】
２つの隣接するロック溝１７の間の間隔は、固定リング１０の半分の高さに相当するので、同時に２つの固定リング１０を相前後して接続体１の前方の領域３上にロックすることができる。
【００２８】
さらに、固定リング１０の外側のジャケット面に沿って規則的な間隔で多数のグリップ凹部２０が設けられており、そのグリップ凹部を用いて固定リング１０を手で快適に回転させることができる。その他においては、固定リング１０は後方の固定カラー７とほぼ同一の幾何学配置を有している。
【００２９】
接続体１を取り付ける場合に、窪み内の組込み深さを調節するために、接続対１の前方の領域３から固定リング１０が接続体１上でガイド溝１６に沿って移動されて、回転によって該当するロック溝１７内に固定される。
【００３０】
次に、固定リング１０とそれに伴って接続体１が、固定孔１１を通る図示されていないボルトによってそれ自体知られているように壁内に固定される。
【００３１】
図５には、本発明の第２の実施例が示されている。第１の実施例とは、１つ固定リング１０の代りに第２の実施例において２つの同一の固定リング１１０が重ねてセットされていることによってのみ、異なっている。
【００３２】
第２の実施例における固定リング１１０は、第１の実施例における固定リング１０とは、それぞれ図５の上方の円形状の端面１１３上に、図６に上面図で示す一周するリングカラー１２７を有していることによってのみ、異なっており、そのリングカラーは、第１の実施例におけるリング固定孔１１に相当するリング固定孔１１１によってそれぞれ中断されており、かつ２つの固定リング１１０を結合するための第１の結合手段として用いられる。
【００３３】
リングカラー１２７は、中空円筒の形状を有しており、その中空円筒が固定リング１１０の内側ジャケット面と外側側面の間の中央において上方の端面１１３上に取り付けられて、この端面と堅固に結合され、あるいはこの端面に一体的に形成されている。
【００３４】
固定リング１１０の下方の端面１１４内に、第２の結合手段として、リングカラー１１７に対して相補的な一周するリング溝１２８が配置されており、そのリング溝内へ、固定リングペア１１０の図５中下方の固定リング１１０のリングカラー１２７が差し込まれている。
【００３５】
さらに、接続体１０１の後ろ側１０２の、第１の実施例の後方の固定カラー７にほぼ相当する後方の固定カラー１０７内に、同様に、固定リング１１０のリングカラー１２８に対して相補的なリング溝１２９が配置されているので、図には示されていないが、固定リング１１０の少なくとも１つが、後方の固定カラー１０７上に取り付け可能である。一周するリング溝１２９は、カラー固定孔９に相当する４つのカラー固定孔１０９によって中断されている。
【００３６】
１つまたは複数の固定リング１１０を取り付け、ないしは一緒に取り付けることによって、図５の上方の、前方の固定可能性、すなわち上方の固定リング１１０と後方の固定可能性、図５の固定カラー７ないしそこに取り付けられる、図示されていない少なくとも１つの他の固定リング１１０との間の間隔が拡大され、それによって組込み深さのより大きいバリエーションが可能となる。
【００３７】
固定孔９、１１；１０９、１１１の代りに、鳩目またはフラップを（他の個数でも）設けることができ、それらを用いて接続体１；１０１ないし固定リング１０、１１０を壁組込み開口部などに固定することができる。
【００３８】
固定リング１０、１１０は、バヨネット結合による代りに、他の方法で、たとえばボルトによってもロック可能である。３つより大きい、あるいはそれより少ないバヨネット爪を設けることもできる。
【００３９】
たとえば、リングカラー１２７とリング溝１２８の代りに、ピン−孔−ペアなどを設けることもでき、それらを用いて２つの固定リング１１０を互いに結合することができる。
【００４０】
接続体１；１０１は、従来の前塀、前壁システム、ウッドラック壁、床の窪み、出来上った家屋配管システムまたは他の種類の壁組込み構造内へ組み込むことができる。
【図面の簡単な説明】
【００４１】
【図１】壁組込み開口部内に取り付けるための固定リングを有する埋込みサニタリーアーマチュアのための接続体の第１の実施例を図式的に示す側面図である。
【図２】図１に示す固定リングを図式的に示す上面図である。
【図３】図１に示す接続体を固定リングなしで図式的に示す上面図である。
【図４】図１に示す接続体を固定リングなしで図式的に示す下面図である。
【図５】接続体の第２の実施例を図式的に示す側面図であって、この場合に２つの固定リングが重ね合わせて差し込まれている。
【図６】図５に示す固定リングを図式的に示す上面図である。
【図１】
2008510088.tif 000003
【図２】
2008510088.tif 000004
【図３】
2008510088.tif 000005
【図４】
2008510088.tif 000006
【図５】
2008510088.tif 000007
【図６】
2008510088.tif 000008
【国際調査報告】
2008510088.tif 000009
2008510088.tif 000010
2008510088.tif 000011
2008510088.tif 000012